(57)【特許請求の範囲】
【請求項１】
それぞれ特定のユーザによって占有的に使用されると共に当該ユーザと一緒には移動しない複数の端末装置と、互いに異なる位置に設置され、それぞれ、複数のユーザの内の何れかのユーザを検出したとき、当該ユーザを示す情報及びその位置を示す情報を送信する複数のユーザ検出手段と、に接続された管理装置であって、
上記ユーザ検出手段から送信されてきたユーザを示す情報に基づいて、上記複数の端末装置の内、当該ユーザによって占有的に使用され且つ当該ユーザとは別位置に存在する端末装置を特定するユーザ端末装置特定手段と、
上記ユーザ検出手段から送信されてきた上記位置を示す情報に基づいて、上記ユーザが存在する所在位置を特定するユーザ位置特定手段と、
上記ユーザ端末装置特定手段によって特定された上記ユーザとは別位置に存在する端末装置に対して、上記ユーザ位置特定手段によって特定された所在位置を示す情報を送信する位置情報送信手段と、
を具備することを特徴とする管理装置。
【請求項２】
上記複数のユーザそれぞれについて、当該ユーザによって占有的に使用される上記端末装置以外の送信先を予め登録する送信先登録手段と、
上記ユーザ位置特定手段によって特定された所在位置を含むメッセージを作成し、上記送信先登録手段に登録された上記ユーザの端末装置以外の送信先に対して、その作成したメッセージを送信するメッセージ送信手段と、
を更に具備することを特徴とする請求項１に記載の管理装置。
【請求項３】
上記送信先登録手段は、各ユーザに対応して、上記ユーザによって占有的に使用される端末装置及びそれ以外の送信先を記憶する記憶手段を含み、
上記ユーザ端末装置特定手段及び上記メッセージ送信手段は、上記記憶手段を参照して、上記ユーザによって占有的に使用される上記端末装置及びそれ以外の送信先を特定することを特徴とする請求項２に記載の管理装置。
【請求項４】
それぞれ特定のユーザによって占有的に使用されると共に当該ユーザと一緒には移動しない複数の端末装置と、
互いに異なる位置に設置され、それぞれ当該位置に存在するユーザを検出する複数のユーザ検出手段と、
これら複数の端末装置及び複数のユーザ検出手段に接続された管理装置と、
を具備し、
上記複数のユーザ検出手段はそれぞれ、複数のユーザの内の何れかのユーザを検出したとき、当該ユーザを示す情報及び該ユーザ検出手段の設置位置を示す情報を上記管理装置に送信する送信手段を有し、
上記管理装置は、
上記ユーザ検出手段から送信されてきたユーザを示す情報に基づいて、上記複数の端末装置の内、当該ユーザによって占有的に使用されると共に上記ユーザとは別位置に存在する端末装置を特定するユーザ端末装置特定手段と、
上記ユーザ検出手段から送信されてきた上記ユーザ検出手段の設置位置を示す情報に基づいて、上記ユーザが存在する所在位置を特定するユーザ位置特定手段と、
上記ユーザ端末装置特定手段によって特定された端末装置に対して、上記ユーザ位置特定手段によって特定された所在位置を示す位置情報を送信する位置情報送信手段と、
を有し、
上記端末装置はそれぞれ、上記管理装置の位置情報送信手段から送信されてきた上記位置情報に基づいて、当該端末装置を占有的に使用するユーザの所在位置を示すメッセージを作成し、その作成したメッセージをスクリーンセーバとして表示する、
ことを特徴とするスクリーンセーバ表示システム。
【請求項５】
上記ユーザ検出手段は、複数の部屋或いは施設のそれぞれに設置され、
上記ユーザ検出手段は、上記ユーザが上記複数の部屋或いは施設の内で何れの部屋或いは何れの施設に入室したとき、そのユーザを示す情報と共に、当該ユーザ検出手段を識別する識別情報を上記管理装置に送信し、
上記管理装置の上記ユーザ位置特定手段は、上記識別情報に基づいて、上記ユーザ検出手段が設置された部屋或いは施設を特定することを特徴とする請求項４に記載のスクリーンセーバ表示システム。
【請求項６】
上記ユーザ検出手段における上記入室の検出は、上記ユーザがその部屋或いは施設に入室する際に行ったユーザ認証により行い、その認証されたユーザ情報に基づいて上記ユーザを示す情報を送信することを特徴とする請求項５に記載のスクリーンセーバ表示システム。
【請求項７】
ユーザの所在位置を、複数の端末装置の内の当該ユーザによって占有的に使用されると共に当該ユーザと一緒には移動しない端末装置に自動通知する際に、
互いに異なる位置に設置され、それぞれ、複数のユーザの内の何れかのユーザを検出したとき、当該ユーザを示す情報及びその位置を示す情報を送信する複数のユーザ検出手段から送信されてきたユーザを示す情報に基づいて、当該ユーザによって占有的に使用されると共に上記ユーザとは別位置に存在するユーザの端末装置を特定する処理と、
上記ユーザ検出手段から送信されてきた上記位置を示す情報に基づいて、上記ユーザが存在する所在位置を特定する処理と、
上記特定された端末装置に対して、上記特定された所在位置を示す情報を送信する処理と、
をコンピュータに実行させる命令を含むプログラムを格納した、コンピュータが読み取り可能な記録媒体。
【発明の詳細な説明】
【０００１】
【発明の属する技術分野】
本発明は、パーソナルコンピュータ等の端末装置、ネットワークを介してそのような端末装置が複数接続された管理装置、そのような端末装置と管理装置を含むスクリーンセーバ表示システム、及びそのような管理装置又は端末装置の動作をコンピュータに実行させる命令を含むプログラムを格納したコンピュータが読み取り可能な記録媒体に関する。
【０００２】
【従来の技術】
コンピュータシステムにおけるスクリーン制御の一つとして、画面の焼き付けを防止するスクリーンセーバが知られている。
【０００３】
このスクリーンセーバは、コンピュータに対して入力がある一定時間ない場合に画面を使用してないものとみなし、画面全体の表示を消す、または焼き付け防止の動画を表示するものである。
【０００４】
そして、スクリーンセーバが動作中はコンピュータ入力者がその席に不在なので、その行き先を表示するようにスクリーンセーバの動画を設定して、連絡の便宜を図るアプリケーションも知られている。
【０００５】
【発明が解決しようとする課題】
このようなスクリーンセーバにその行き先を表示するアプリケーションにあっては、その行き先をコンピュータの画面インターフェイスを通じて所在を入力して設定することが必要である。しかしながら、急な打ち合わせ等で行き先を入力せずに席を外してしまう場合があり、そのような場合には、前回設定した行き先が表示されてしまうため、行き先案内表示は意味のないものとなってしまう。
【０００６】
本発明の課題は、特定のユーザによって使用される端末装置において、その特定ユーザの所在位置を検出し、その検出した所在位置を自動的に出力できるようにすることである。
【０００７】
【課題を解決するための手段】
請求項１に記載の発明は、それぞれ特定のユーザによって占有的に使用されると共に当該ユーザと一緒には移動しない複数の端末装置と、互いに異なる位置に設置され、それぞれ、複数のユーザの内の何れかのユーザを検出したとき、当該ユーザを示す情報及びその位置を示す情報を送信する複数のユーザ検出手段と、に接続された管理装置であって、上記ユーザ検出手段から送信されてきたユーザを示す情報に基づいて、上記複数の端末装置の内、当該ユーザによって占有的に使用され且つ当該ユーザとは別位置に存在する端末装置を特定するユーザ端末装置特定手段と、上記ユーザ検出手段から送信されてきた上記位置を示す情報に基づいて、上記ユーザが存在する所在位置を特定するユーザ位置特定手段と、上記ユーザ端末装置特定手段によって特定された上記ユーザとは別位置に存在する端末装置に対して、上記ユーザ位置特定手段によって特定された所在位置を示す情報を送信する位置情報送信手段と、を具備することを特徴とする。
【０００８】
また、請求項７に記載の発明は、コンピュータが読み取り可能な記録媒体であって、ユーザの所在位置を、複数の端末装置の内の当該ユーザによって占有的に使用されると共に当該ユーザと一緒には移動しない端末装置に自動通知する際に、互いに異なる位置に設置され、それぞれ、複数のユーザの内の何れかのユーザを検出したとき、当該ユーザを示す情報及びその位置を示す情報を送信する複数のユーザ検出手段から送信されてきたユーザを示す情報に基づいて、当該ユーザによって占有的に使用されると共に上記ユーザとは別位置に存在するユーザの端末装置を特定する処理と、上記ユーザ検出手段から送信されてきた上記位置を示す情報に基づいて、上記ユーザが存在する所在位置を特定する処理と、上記特定された端末装置に対して、上記特定された所在位置を示す情報を送信する処理と、をコンピュータに実行させる命令を含むプログラムを格納したことを特徴とする。
【０００９】
請求項１及び請求項７に記載の発明によれば、何れかのユーザ検出手段から送信されてきたユーザを示す情報に基づいて当該ユーザによって占有的に使用されると共に当該ユーザとは別位置に存在する端末装置を特定し、その特定されたユーザの端末装置に対して、上記ユーザ検出手段から送信されてきた位置を示す情報に基づいて特定したユーザの所在位置を示す情報を送信するようにしている。
従って、特定ユーザの所在位置を検出して当該ユーザとは別位置に存在する当該ユーザの端末装置に送信するので、それを受信した例えばパーソナルコンピュータ等の当該ユーザの端末装置では、その特定ユーザの所在位置を出力、例えばスクリーンセーバメッセージとして表示できるようになる。
【００１０】
また、請求項４に記載の発明は、それぞれ特定のユーザによって占有的に使用されると共に当該ユーザと一緒には移動しない複数の端末装置と、互いに異なる位置に設置され、それぞれ当該位置に存在するユーザを検出する複数のユーザ検出手段と、これら複数の端末装置及び複数のユーザ検出手段に接続された管理装置と、を具備するスクリーンセーバ表示システムであって、上記複数のユーザ検出手段はそれぞれ、複数のユーザの内の何れかのユーザを検出したとき、当該ユーザを示す情報及び該ユーザ検出手段の設置位置を示す情報を上記管理装置に送信する送信手段を有し、上記管理装置は、上記ユーザ検出手段から送信されてきたユーザを示す情報に基づいて、上記複数の端末装置の内、当該ユーザによって占有的に使用されると共に上記ユーザとは別位置に存在する端末装置を特定するユーザ端末装置特定手段と、上記ユーザ検出手段から送信されてきた上記ユーザ検出手段の設置位置を示す情報に基づいて、上記ユーザが存在する所在位置を特定するユーザ位置特定手段と、上記ユーザ端末装置特定手段によって特定された端末装置に対して、上記ユーザ位置特定手段によって特定された所在位置を示す位置情報を送信する位置情報送信手段と、を有し、上記端末装置はそれぞれ、上記管理装置の位置情報送信手段から送信されてきた上記位置情報に基づいて、当該端末装置を占有的に使用するユーザの所在位置を示すメッセージを作成し、その作成したメッセージをスクリーンセーバとして表示する、ことを特徴とする。
【００１２】
請求項４に記載の発明によれば、何れかのユーザ検出手段から送信されてきたユーザを示す情報に基づいて当該ユーザによって占有的に使用されると共に当該ユーザとは別位置に存在する端末装置を特定し、その特定されたユーザの端末装置に対して、上記ユーザ検出手段から送信されてきた位置を示す情報に基づいて特定したユーザの所在位置を示す情報を送信し、それを受信した例えばパーソナルコンピュータ等の当該ユーザとは別位置に存在する当該ユーザの端末装置では、その特定ユーザの所在位置をスクリーンセーバメッセージとして表示するので、特定ユーザの所在位置を自動的に出力できるようになる。
【００１６】
【発明の実施の形態】
以下、本発明の実施の形態を図１の（Ａ）乃至図６を参照して説明する。
［第１の実施の形態］
図１の（Ａ）は、本発明の第１の実施の形態に係る管理装置及び端末装置の適用されたシステムの構成を示す図である。
【００１７】
本発明の第１の実施の形態に係る管理装置としての入室管理サーバ１０には、複数の入室チェック装置２０と複数の本発明の第１の実施の形態に係る端末装置としてのユーザ端末３０とが、ＬＡＮ４０を介して接続されている。
【００１８】
ここで、入室チェック装置２０は、ユーザが会議室等に入室する際にＩＤ照合等を行うための端末装置であり、種々のチェックと同時にそのユーザの行き先を知らせるための位置入力端末装置でもある。なお、本第１の実施の形態では、この入室チェック装置２０は、各部屋毎に設置するものとしているが、複数の部屋を備えた建物毎に、或いは複数の建物を含む施設毎に設けても良い事は勿論である。
【００１９】
また、入室管理サーバ１０は、各個所に設定してある入室チェック装置２０からのユーザ情報を収集し、入室チェック装置２０の設定位置情報等からユーザの行き先の位置を特定し、そのデータを管理するコンピュータである。
【００２０】
そして、ユーザ端末３０は、各個人のユーザが日常業務に使用しているコンピュータであり、通常はそのコンピュータの前に居ることがほとんどである。また、入室管理サーバ１０とはＬＡＮ４０で接続されており、ユーザの行き先情報が入室チェック装置２０から入室管理サーバ１０に入力されると、この入室管理サーバ１０より所在情報がユーザ端末３０に転送されてくる。そして、ユーザ端末３０では、転送された所在情報に従い、スクリーンセーバの表示情報が変更され、該ユーザ端末３０の表示部には、その変更された行き先がスクリーンセーバとして表示されるようになっている。なお、これらの動作の詳細については、後述する。
【００２１】
上記入室管理サーバ１０には、ユーザテーブル１５Ａと部屋、施設テーブル１５Ｂとが接続されている。
【００２２】
ユーザテーブル１５Ａは、図１の（Ｂ）に示すように、各ユーザ毎に、認証ＩＤと送付先とを定義したテーブルである。ここで、認証ＩＤは、入室チェック装置２０で読み取られる当該ユーザが所持するＩＤカードの番号であるが、ユーザが手入力するパスワード、或いは指紋等、入室チェック装置２０にてユーザを特定できるものであれば、どのようなものでも良い。また、送付先は、所在情報を送信すべきユーザ端末３０を特定するための装置ＩＤであるが、その他に、例えば当該ユーザの上司等の所定のユーザにも所在位置を知らせたい場合には、そのような所定ユーザのメールアドレスも保存しておくことができる。このように、送付先については、複数設定することが可能である。
【００２３】
また、施設テーブル１５Ｂは、図１の（Ｃ）に示すように、上記入室チェック装置２０のそれぞれを特定する室ＩＤに対応させて、その所在名称を定義したテーブルである。
【００２４】
実際には、入室管理サーバ１０は、図２の（Ａ）に示すように、ＣＰＵ１１、入力部１２、表示部１３、印字部１４、記憶装置１５、ＲＡＭ１６、伝送制御部１７等よりなる。
【００２５】
ここで、上記ＣＰＵ１１は、当該入室管理サーバ全体を制御する制御部である。
【００２６】
また、上記入力部１２は、キーボードや、マウス等のポインティングデバイスを含む。上記表示部１３は、ＣＲＴや液晶ディスプレィ等であり、上記印字部１４は、プリンタである。
【００２７】
上記記憶装置１５は、ハードディスクやＲＯＭ等である。この記憶装置１５には、上記ＣＰＵ１１で実行される当該入室管理サーバの処理プログラムやアプリケーションプログラム、各種データ等が予め記憶されている。また、上記ユーザテーブル１５Ａや部屋、施設テーブル１５Ｂは、この記憶装置１５に記憶されている。
【００２８】
上記ＲＡＭ１６は、上記ＣＰＵ１１がプログラム実行中に利用するワークエリア等の領域を備えている。
【００２９】
また、上記伝送制御部１７は、上記ＬＡＮ４０、或いは図示しない公衆回線等を介して接続された他の装置との間でデータの送受信を行うものである。
【００３０】
なお、上記記憶装置１５に記憶するプログラムやデータ等は、フロッピーディスクや光（磁気）ディスク等の記憶媒体５０から読み込むようにしても良いし、上記伝送制御部１７により上記ＬＡＮ４０又は公衆回線を介して接続された他の装置から受信して、これに記憶するようにしても良いことは勿論である。
【００３１】
また、上記ユーザ端末３０も、上記入室管理サーバ１０と同様、図２の（Ｂ）に示すように、ＣＰＵ３１、入力部３２、表示部３３、印字部３４、記憶装置３５、ＲＡＭ３６、伝送制御部３７等より構成されている。
【００３２】
ここで、上記ＣＰＵ３１は、当該ユーザ端末全体を制御する制御部である。また、上記入力部３２は、キーボードや、マウス等のポインティングデバイスを含み、上記表示部３３はＣＲＴや液晶ディスプレィ等であり、上記印字部３４はプリンタである。
【００３３】
上記記憶装置３５は、ハードディスクやＲＯＭ等である。この記憶装置３５には、上記ＣＰＵ３１で実行される当該ユーザ端末の処理プログラムやアプリケーションプログラム、各種データ等が予め記憶されている。また、上記ＲＡＭ３６は、上記ＣＰＵ３１がプログラム実行中に利用するワークエリア等の領域を備えている。
【００３４】
そして、上記伝送制御部３７は、上記ＬＡＮ４０、或いは図示しない公衆回線等を介して接続された他の装置との間でデータの送受信を行うものである。
【００３５】
なお、上記記憶装置３５に記憶するプログラムやデータ等は、フロッピーディスクや光（磁気）ディスク等の記憶媒体５０から読み込むようにしても良いし、上記伝送制御部３７により上記ＬＡＮ４０又は公衆回線を介して接続された他の装置から受信して、これに記憶するようにしても良いことは勿論である。
【００３６】
次に、このような構成における動作を説明する。
図３の（Ａ）は、入室チェック装置２０の動作フローチャートである。
即ち、この入室チェック装置２０は、通常、ユーザが所持するＩＤカードの入力待ちの状態となっており、ＩＤカードの入力が有ると（ステップＳ１１）、そのＩＤカード内に保存されているユーザ名、認証ＩＤ、送付先、等の情報を読み出す（ステップＳ１２）。そして、それら読み出した情報に当該入室チェック装置２０に割り当てられた室ＩＤを付加して、入室管理サーバ１０へ認証依頼を行う（ステップＳ１３）。
【００３７】
その後、入室管理サーバ１０からの応答を受け付けて、それがＯＫ応答であれば（ステップＳ１４）、当該入室チェック装置２０に設けられた不図示表示部に入室許可を表すメッセージを表示して（ステップＳ１５）、ドアのロックを外してドアを開ける（ステップＳ１６）。そして、ユーザがそのドアから入室した後、ドアを閉めて施錠を行う（ステップＳ１７）。その後は、上記ステップＳ１１に戻って、ＩＤカードの入力待ちの状態となる。
【００３８】
また、入室管理サーバ１０からの応答がＯＫ応答ではなかった場合には（ステップＳ１４）、不図示表示部に入室禁止を表すメッセージを表示する（ステップＳ１８）。その後は、上記ステップＳ１１に戻って、ＩＤカードの入力待ちの状態となる。
【００３９】
図４は、上記入室管理サーバ１０の動作を説明するフローチャートである。このフローチャートに記載した各機能を実現するプログラムは、ＣＰＵ１１が読み取り可能なプログラムコードの形態で上記記憶装置１５もしくは記憶媒体５０に記憶されている。
【００４０】
即ち、該入室管理サーバ１０は、通常は、上記入室チェック装置２０の動作におけるステップＳ１３での認証依頼の受信待ちとなっており、認証依頼を受信すると（ステップＳ２１）、それと共に送信されてくる室ＩＤ、ユーザ名、認証ＩＤ、送付先等の情報を受信する（ステップＳ２２）。そして、受信したユーザ名によりユーザを特定し（ステップＳ２３）、そのユーザに対応してユーザテーブル１５Ａに保存されている認証ＩＤと上記受信した認証ＩＤとを比較することで正当性をチェックする（ステップＳ２４）。
【００４１】
この正当性チェックの結果、認証がＯＫでない場合には（ステップＳ２５）、上記入室認証依頼の依頼元の入室チェック装置２０にＮＧ応答を送信する（ステップＳ２６）。そして、上記ステップＳ２１に戻り、認証依頼の受信待ちとなる。このＮＧ応答を受信した入室チェック装置２０では、前述したように、入室禁止メッセージを出力することになる。
【００４２】
これに対して、上記正当性チェックの結果、認証がＯＫとなった場合には（ステップＳ２５）、上記入室認証依頼の依頼元の入室チェック装置２０にＯＫ応答を送信する（ステップＳ２７）。このＯＫ応答を受信した入室チェック装置２０では、前述したように、入室許可メッセージを出力してドアをオープンすることになる。
【００４３】
そして入室管理サーバ１０では、上記ＯＫ応答の送信後、上記受信した室ＩＤに基づいて部屋、施設テーブル１５Ｂから所在名称を検索する（ステップＳ２８）。その後、ユーザテーブル１５Ａを参照して、上記特定されたユーザに対して送付先が設定されているか否かを判別する（ステップＳ２９）。
【００４４】
ここで、送付先の設定が有れば、その設定されている全ての送付先を読み出す（ステップＳ３０）。また、送付先の設定が無い場合には、更に、上記入室チェック装置２０から受信した情報内に送付先が有るか否かを判別し（ステップＳ３１）、受信情報内にも送付先が含まれていない場合には、上記ステップＳ２１に戻り、認証依頼の受信待ちとなる。これに対して、受信情報内に送付先が含まれてた場合には、その受信情報に含まれる全ての送付先を読み出す（ステップＳ３２）。
【００４５】
而して、上記ステップＳ３０又はＳ３２において送付先が読み出されたならば、次に、その読み出した送付先の種類を判別する（ステップＳ３３）。
【００４６】
ここで、送付先がユーザ端末３０の装置ＩＤであった場合には、その装置ＩＤで特定されるユーザ端末３０に対して設定依頼を送信し（ステップＳ３４）、続けて、ユーザ名と上記検索した所在名称とを送信する（ステップＳ３５）。そして、まだ他の装置ＩＤが送付先に含まれていれば（ステップＳ３６）、上記ステップＳ３４に戻る。而して、設定された全てのユーザ端末３０に対する送信が終了したならば、上記ステップＳ２１に戻り、認証依頼の受信待ちとなる。
【００４７】
また、上記ステップＳ３３で判別した送付先がメールアドレスであった場合には、ユーザ名と所在名称によるメッセージを作成し（ステップＳ３７）、上記読み出した送付先に含まれる全てのメールアドレスを宛先として設定して（ステップＳ３８）、上記作成したメッセージをメール送信する（ステップＳ３９）。そしてその後、上記ステップＳ２１に戻って、認証依頼の受信待ちとなる。
【００４８】
図３の（Ｂ）は、上記ステップＳ３４での設定依頼を受信したときのユーザ端末３０における動作を説明するフローチャートである。このフローチャートに記載した各機能を実現するプログラムは、ＣＰＵ３１が読み取り可能なプログラムコードの形態で上記記憶装置３５もしくは記憶媒体５０に記憶されている。
【００４９】
即ち、まず、上記設定依頼に続けて上記ステップＳ３５で入室管理サーバ１０から送信されてくるユーザ名と所在名称を受信し（ステップＳ４１）、その受信したユーザ名と所在名称によるメッセージを作成する（ステップＳ４２）。そして、その作成したメッセージをスクリーンセーバとして設定して（ステップＳ４３）、スクリーンセーバを起動する（ステップＳ４４）。その後は、周知のように、何らかのオペレータの操作に応じて（ステップＳ４５）、そのスクリーンセーバを解除して（ステップＳ４６）、この設定依頼に応じた動作を終了する。
【００５０】
以上のように、本第１の実施の形態によれば、スクリーンセーバの設定を毎回行わなくても自動的にスクリーンセーバに行き先が設定でき、確実な所在情報を設定できるという効果がある。
【００５１】
［第２の実施の形態］
次に、本発明の第２の実施の形態を説明する。
【００５２】
上記第１の実施の形態においては、所在位置情報の入力端末として会議室等の特別な場所に入るための入室チェック装置２０を設け、該入室チェック装置２０へのＩＤカード入力によりその行き先を特定して、ユーザ端末３０のスクリーンセーバを設定していた。
【００５３】
これに対して、本第２の実施の形態は、図５の（Ａ）に示すように、所在位置情報の入力端末として、携帯型入力端末装置、例えばＰＨＳ等のユーザ携帯電話６０を使用するものである。これにより、入力端末の設置位置を限定せずに、電波の発信位置より細かい行き先設定が可能となる。この場合、入室管理サーバ１０は、基地局７０になり、ユーザ携帯電話６０の位置の特定処理を行い、個人コンピュータであるユーザ端末３０にその位置情報を転送する。
【００５４】
また、本第２の実施の形態では、ユーザ端末３０には、ユーザの行動スケジュールを記したスケジュール予定表３５Ａが接続されている（実際には、このスケジュール予定表３５Ａは、ユーザ端末３０の記憶装置３５に記憶されている）。そして、上記ユーザ携帯電話６０を利用した位置情報の取得ができない場合に、そのスケジュール予定表３５Ａからその時点でのユーザ所在位置を読み出してスクリーンセーバを設定するものである。
【００５５】
図５の（Ｂ）及び図６は、ユーザ端末３０におけるこのような動作を説明する一連のフローチャートである。このフローチャートに記載した各機能を実現するプログラムは、ＣＰＵ３１が読み取り可能なプログラムコードの形態で上記記憶装置３５もしくは記憶媒体５０に記憶されている。
【００５６】
即ち、まず、オペレータによる入力部３２の操作の有無を判別し（ステップＳ５１）、何らかの操作がなされた時には、その操作に応じた処理を実行した後（ステップＳ５２）、上記ステップＳ５１に戻る。また、何の操作もない場合には、その状態が所定時間続いたかどうかを判別し（ステップＳ５３）、まだ所定時間経過していない場合には上記ステップＳ５１に戻る。
【００５７】
そして、何も操作されないまま所定時間を経過したときには、まず、各ユーザが所持するＩＤカードが検知できるか否かを判別する（ステップＳ５４）。即ち、ここで、特に図示はしていないが、ユーザ端末３０には、所定距離内にＩＤカードが存在するか否かを無線や赤外線によって検知できる、あるいはＩＤカードが挿入されることで検知できるＩＤカード検知装置が接続されており、ユーザ端末３０では、そのＩＤカード検知装置の出力により、どのユーザが当該ユーザ端末３０の操作を行っているかを特定できるようになっている。
【００５８】
即ち、ここで、ＩＤカードが検知できた場合には、ユーザＩＤを読み込み（ステップＳ５５）、その読み込んだユーザＩＤが当該ユーザ端末３０を占有的に使用するとして予め設定されている占有ユーザのユーザＩＤと一致するか否かを判別する（ステップＳ５６）。そして、両者が一致すれば、占有ユーザは、当該ユーザ端末３０の近傍に居るが、何らかの理由により操作を行っていない状態であるので、予めユーザが設定した画像等の通常のスクリーンセーバによるスクリーンセーバを起動する（ステップＳ５７）。その後は、何らかの操作に応じて（ステップＳ５８）、そのスクリーンセーバを解除した後（ステップＳ５９）、上記ステップＳ５１に戻る。
【００５９】
一方、上記ステップＳ５４においてＩＤカードを検知できないと判別した場合、或いは、上記ステップＳ５６において検知したＩＤカードのユーザＩＤと占有ユーザのユーザＩＤとが一致しないと判別された場合には、記憶装置３５に予め記憶してある占有ユーザのユーザ携帯電話６０の電話番号に、位置検索のための電話発信を行う（ステップＳ６０）。そして、その結果として、基地局７０より位置情報を取得できたか否かを判別し（ステップＳ６１）、位置情報を取得できた場合には、その位置情報は緯度、経度の情報であるので、予め記憶装置３５に記憶してある変換テーブル（図示せず）から、その位置情報に対応する所在名所を検索して（ステップＳ６２）、所在名所を取得する（ステップＳ６３）。この場合、変換テーブルは、記憶装置３５に記憶しておくだけでなく、記憶媒体５０の形で提供されたり、或いは、伝送制御部３７からインターネット等で検索することも可能である。
【００６０】
そして、取得した所在名称による所在メッセージを作成し（ステップＳ６４）、その作成した所在メッセージをスクリーンセーバとして設定して（ステップＳ６５）、スクリーンセーバを起動する（ステップＳ６６）。その後は、上記ステップＳ５８に戻る。
【００６１】
一方、上記ステップＳ６１において、基地局７０より位置情報を取得できなかったと判別した場合には、スケジュール予定表３５Ａによる現在日時でのスケジュール設定をチェックする（ステップＳ３７）。そして、その結果として、所在名称が取得できたか否かを判別する（ステップＳ６８）。ここで、スケジュール予定表３５Ａより所在名称が取得できたならば、上記ステップＳ６４に戻り、そのスケジュール予定表３５Ａから取得した所在名称による所在メッセージを作成してスクリーンセーバ表示することになる。また、スケジュール予定表３５Ａからも所在名称を取得できなかったときには、所定の不在メッセージを作成し（ステップＳ６９）、上記ステップＳ６５に戻って、その作成した不在メッセージをスクリーンセーバ表示することになる。
【００６２】
以上のように、本第２の実施の形態によれば、所在位置情報の入力端末としてユーザ携帯電話６０を使用することにより、入力端末の設置位置を限定せずに、電波の発信位置より細かい行き先設定が可能となる。また、ユーザ携帯電話６０による所在位置を取得できない場合には、更に、スケジュール予定表３５Ａから所在情報を取得するようにしているので、毎回スクリーンセーバに設定しなくても自動的にスクリーンセーバに行き先が設定でき、確実な所在情報を設定できるようになる。
【００６３】
【発明の効果】
本発明によれば、ユーザの特定とそのユーザの所在位置とを検出し、その特定ユーザに対応して予め指定されていた送信先を特定し、その特定された送信先に対して上記検出した所定位置を示す位置情報を送信するようにしているので、それを受信した例えばパーソナルコンピュータ等の端末装置では、その特定ユーザの所在位置を出力、例えばスクリーンセーバメッセージとして表示できるようになり、確実な所在情報を出力できるようになる。
【００６４】
また、本発明によれば、特定のユーザによって使用される端末装置において、その特定ユーザの所在位置を検出した他の装置から、その所在位置を示す位置情報を受信して、その受信した位置情報を示すメッセージを出力、例えばスクリーンセーバとして表示できるようにしているので、確実な所在情報を出力できるようになる。
【００６５】
また、本発明によれば、特定のユーザによって使用される端末装置において、その特定ユーザの不在時に、その所在位置を検出して、その検出した所在位置を示す所在位置情報を含むメッセージを出力、例えばスクリーンセーバとして表示できようにしているので、確実な所在情報を出力できるようになる。
【図面の簡単な説明】
【図１】（Ａ）は本発明の第１の実施の形態に係る管理装置及び端末装置の適用されたシステムの構成を示す図、（Ｂ）は（Ａ）中のユーザテーブルの構成を示す図であり、（Ｃ）は（Ａ）中の部屋、施設テーブルの構成を示す図である。
【図２】（Ａ）は本発明の第１の実施の形態に係る管理装置としての図１の（Ａ）中の入室管理サーバのブロック構成図であり、（Ｂ）は本発明の第１の実施の形態に係る端末装置としての図１の（Ａ）中のユーザ端末のブロック構成図である。
【図３】（Ａ）は図１の（Ａ）中の入室チェック装置の動作フローチャートであり、（Ｂ）は設定依頼を受信したときのユーザ端末における動作を説明するフローチャートである。
【図４】入室管理サーバの動作を説明するフローチャートである。
【図５】（Ａ）は本発明の第２の実施の形態に係る端末装置の適用されたシステムの構成を示す図であり、（Ｂ）は（Ａ）中のユーザ端末における動作を説明する一連のフローチャートの前半部分を示す図である。
【図６】図５の（Ａ）中のユーザ端末における動作を説明する一連のフローチャートの後半部分を示す図である。
【符号の説明】
１０      入室管理サーバ
１１，３１      ＣＰＵ
１２，３２      入力部
１３，３３      表示部
１４，３４      印字部
１５，３５      記憶装置
１５Ａ      ユーザテーブル
１５Ｂ      施設テーブル
１６，３６      ＲＡＭ
１７，３７      伝送制御部
２０      入室チェック装置
３０      ユーザ端末
３５Ａ      スケジュール予定表
５０      記憶媒体
６０      ユーザ携帯電話
７０      基地局
【図１】
0004102911.tif 000002
【図２】
0004102911.tif 000003
【図３】
0004102911.tif 000004
【図４】
0004102911.tif 000005
【図５】
0004102911.tif 000006
【図６】
0004102911.tif 000007